(57)【特許請求の範囲】
【請求項１】
装置上面に形成される貨幣取引口と、
少なくとも前記貨幣取引口を装置両側の何れか一方側からのみ選択的に操作可能にするように覆い、他方側からの目視を不能にする仕切手段と、
を備えた、金融営業店に設置され、設置された状態で装置両側から操作が行える貨幣取引処理装置において、
前記仕切手段は、
操作者側の反対側から少なくとも前記貨幣取引口の目視を遮蔽する遮蔽手段と、前記遮蔽手段を一時的に固定して移動を禁止する係止手段とを備え、
前記係止手段の作動中における解除指令信号の入力によって、前記係止手段の作動を強制的に解除し、前記遮蔽手段の移動を可能にしたことを特徴とする貨幣取引処理装置。
【請求項２】
装置上面に形成される貨幣取引口と、
少なくとも前記貨幣取引口を装置両側の何れか一方側からのみ選択的に操作可能にするように覆い、他方側からの目視を不能にする仕切手段と、
を備えた、金融営業店に設置され、設置された状態で装置両側から操作が行える貨幣取引処理装置において、
前記仕切手段は、
操作者側の反対側から少なくとも前記貨幣取引口の目視を遮蔽する遮蔽手段と、前記遮蔽手段を一時的に固定して移動を禁止する係止手段とを備え、
前記遮蔽手段が存在する側を検出する遮蔽側検出手段を備えるとともに、
前記遮蔽側検出手段からの検出信号に基づいて前記係止手段を作動させて前記遮蔽手段を所定の位置に固定するように制御する制御手段を備えたことを特徴とする貨幣取引処理装置。
【発明の詳細な説明】
【技術分野】
【０００１】
本発明は、金融営業店の窓口カウンターに設置され、カウンターの内側と外側の両方から操作が行え、かつ多量の硬貨や紙幣の入出金が行える貨幣取引処理装置に関し、特に、貨幣取引口をカウンターの内側または外側の何れか一方側からのみ選択的に操作可能にするように覆い、他方側からの目視を不能にする遮蔽板を備えた貨幣取引処理装置に関する。
【背景技術】
【０００２】
従来、金融営業店（銀行の本支店等）のロビーに設置されているＡＴＭは、紙幣・硬貨の入出金はできるが、１回の取扱い枚数に制限があり、大口の入出金処理はできなかった。
また、大口の現金の入出金を行う特定の法人客用のためのロビー入金機は、多量の硬貨・紙幣の入金が可能であるが、入金された現金は行員の手で回収して整理する必要がある。
一方、両替機は、棒金・小束（紙幣）の投出は行えるが、その棒金・小束は別途包装・結束されたものを両替機に手で装填するものである。
【０００３】
これに対して、出納機はバラの現金を受け入れて包装・結束を行い、棒金・小束の投出が行えるが、行員しか取扱うことができなかった。
上述のように、大口の入出金を行う顧客はＡＴＭでは処理できないので、窓口担当者に依頼して行う必要があり、待ち時間増加や担当者の負担となっていた。
また、特定の法人客はロビー入金機で大口の入金処理を行うことができたとしても、入金されたバラ状態の現金を回収し、別途整理作業を行う必要があり、これが行員の負担ともなっていた。
さらには、両替機に装填する棒金・小束を別の包装装置で包装し、それを手作業で両替機に装填する作業もあり、これが行員にとって大きな負担となっていた。
【０００４】
一方、営業店の経営者から見れば、顧客の要求を満足させるためには、上述のように、ＡＴＭの他に、両替機、ロビー入金機、出納機のおのおのが必要であり、営業店経営に膨大な費用投資が必要であった。
【０００５】
かかる事情に鑑み、本出願人は金融営業店のロビー等に設置され、大口の入出金や両替が行える顧客操作型の貨幣取引処理装置を既に提案している（特許文献１参照）。この装置は１台の機械で、ロビー入金機、両替機、出納機を兼用するものである。
しかしながら、かかる装置はロビー等に設置され、大口の入出金を扱うものであるため、セキュリティ上の理由により、パーティション等で仕切られた個室スペースに設置する必要がある。このことが営業店舗の経営にとって大きな負担となっていた。
【０００６】
これに対して、窓口カウンターに設置され、カウンターを挟んで顧客とテラー（行員）が対面しながら共用することができる窓口用自動取引装置であって、入出金口をテラー側と顧客側のほぼ中央に配置したことを特徴とする窓口用自動取引装置が提案されている（特許文献２参照）。
しかしながら、この装置は多量の硬貨や紙幣を入出金することができる出納機としての機能は有しておらず、別途出納機等を設置する必要があった。また、対面して使用するため、プライバシーが損なわれると感ずる顧客にとっては使い勝手がよくないという問題もあった。
【０００７】
かかる事情に鑑み、顧客と行員が共用可能であり、出納機としての機能も有し、かつ、カウンターの内側または外側の何れか一方側からのみ選択的に操作可能にするように覆い、他方側からの目視を不能にする遮蔽板を設け、双方のプライバシーを確保することを可能とした貨幣取引処理装置を本出願人は既に提案している（特願2006−178936）が、一方が使用中に、他方の者が誤って遮蔽板を移動させてしまい、作業中の処理が中断してしまうおそれも考えられる。
【特許文献１】特開２００４−７０４８６号公報
【特許文献２】特公平８−３１１６８号公報
【発明の開示】
【発明が解決しようとする課題】
【０００８】
本発明は上述のような問題点に鑑み為されたものであり、本発明の目的は、金融営業店の窓口カウンターに設置され、設置された状態でカウンターの内側と外側の両方から操作が行える貨幣取引処理装置において、行員及び顧客の相互のプライバシーの確保が確実に行われるような貨幣取引処理装置を提供することにある。
【課題を解決するための手段】
【０００９】
本発明は、行員及び顧客の相互のプライバシーの確保が確実に行われるような貨幣取引処理装置に関し、本発明の上記目的は、装置上面に形成される貨幣取引口と、少なくとも前記貨幣取引口を装置両側の何れか一方側からのみ選択的に操作可能にするように覆い、他方側からの目視を不能にする仕切手段と、を備えた、金融営業店に設置され、設置された状態で装置両側から操作が行える貨幣取引処理装置において、
前記仕切手段は、操作者側の反対側から少なくとも前記貨幣取引口の目視を遮蔽する遮蔽手段と、前記遮蔽手段を一時的に固定して移動を禁止する係止手段とを備え、前記係止手段の作動中における解除指令信号の入力によって、前記係止手段の作動を強制的に解除し、前記遮蔽手段の移動を可能にしたことを特徴とする貨幣取引処理装置によって達成される。
【００１０】
あるいは、本発明の上記目的は、装置上面に形成される貨幣取引口と、少なくとも前記貨幣取引口を装置両側の何れか一方側からのみ選択的に操作可能にするように覆い、他方側からの目視を不能にする仕切手段と、を備えた、金融営業店に設置され、設置された状態で装置両側から操作が行える貨幣取引処理装置において、
前記仕切手段は、操作者側の反対側から少なくとも前記貨幣取引口の目視を遮蔽する遮蔽手段と、前記遮蔽手段を一時的に固定して移動を禁止する係止手段とを備え、前記遮蔽手段が存在する側を検出する遮蔽側検出手段を備えるとともに、前記遮蔽側検出手段からの検出信号に基づいて前記係止手段を作動させて前記遮蔽手段を所定の位置に固定するように制御する制御手段を備えたことを特徴とする貨幣取引処理装置によって達成される。
【発明の効果】
【００１４】
本発明に係る貨幣取引処理装置によれば、貨幣取引口をカウンターの内側または外側の何れか一方側からのみ選択的に操作可能にするように覆い、他方側からの目視を不能にする遮蔽手段を備えているので、プライバシーが確保されるとともに、遮蔽手段に対する係止手段を備えているため、操作者が操作中において、他方の側の操作者による遮蔽手段の移動ができなくなるため、セキュリティ性がさらに向上するという効果がある。
【発明を実施するための最良の形態】
【００１５】
以下、本発明に係る貨幣取引処理装置の好ましい実施の形態について、図面を参照しつつ詳細に説明する。
【００１６】
図１は、本発明に係る貨幣取引処理装置１の第一実施形態の一例を示す外観図である。図１に示されるように、貨幣取引処理装置１は、顧客と行員がそれぞれカウンターの外側と内側の両方から利用できるように、装置上面のほぼ中央に設けられた紙幣入出金口１０及び硬貨入出金口１１（この二つを総称して各請求項では貨幣取引口と呼んでいる。）、それらが使用中であることを示す表示ランプ１２を具備している。また、行員が各種入力操作用のキー操作を行う行員側操作部１３、入力内容を表示する行員側表示部１４、処理を行う行員のＩＤカード情報等を読み取るカード処理部１５、顧客が入力操作を行うタッチパネルからなる顧客側操作表示部１６（請求項３に記載した「取引入力操作手段」の実施形態の一つである。）と、バラ紙幣入出金部１７と、バラ硬貨入出金部１８と、束紙幣出金部１９（この内部に紙幣結束部が設けられている。）と、包装硬貨出金部２０（この内部に硬貨包装部が設けられている。）と、束紙幣出金口２１と、包装硬貨（棒金）出金口２２とを備えている。さらには、図示しない制御用ＣＰＵやＲＯＭ等を内部に持つターミナル部２３とを備えている。
【００１７】
なお、図１はカウンターに設置された場合の、銀行のカウンターの内側（行員側）から見た場合を示すものである。
また、長手方向が直線形状を成し短手方向がほぼ四半円弧形状に湾曲した天板と四半円形の側板とから成る蓋部材（各請求項における「遮蔽手段」の実施形態である。）３０と、該蓋部材３０を両側から挟むように配置され、ロックするための係止手段（ロック１、ロック２）を備えた支持部材３１とで仕切手段が構成され、一方の側が使用しているときは他方の側からは見えないようになっている。図１の場合は行員側が使用中であることを示している。
【００１８】
図１の場合はロック１がオフ、ロック２がオンになっている状態を示している。また、スイッチSW１はロック１をオン／オフさせるための切り替えスイッチであり、蓋部材３０によって遮蔽されている側を検出するための遮蔽側検出手段の一実施形態である。遮蔽側検出手段は、スイッチによるもの以外でも光の遮蔽による検知や、蓋部材３０の回動軸にボリュウム等を設けておき、回動量を検知することで遮蔽板の移動状態を検知するものでも構わない。図１の場合はSW1がオフになっているため、ロック１がオフになっている。
例えば、電源投入直後のロック１及びロック２がフリーの状態において、蓋部材３０の長方形のツバの部分を手前側に倒すと、そのツバによってSW1が押し下げられてSW1がオンになり、それに連動してロック１がオンになるので、蓋部材３０がロックされるようになる。
【００１９】
図２は本発明に係る貨幣取引処理装置１をカウンターに設置した場合の、銀行のカウンターの外側（顧客側）から見た場合の様子を示すものである。蓋部材３０によって遮蔽されている側が図１の場合と逆になっていることを示している。この場合は顧客側が使用中であることを示している。束紙幣出金口２１と包装硬貨（棒金）出金口２２が顧客側にも設けられている。
また、スイッチSW２はロック２をオン／オフさせるための切り替えスイッチであり、図２の場合はSW２がオフになっているため、ロック２がオフになっている。この状態において、ロック１のロック状態を解除し、蓋部材３０の長方形のツバの部分を手前側に倒すと、そのツバによってSW２が押し下げられてSW２がオンになり、それに連動してロック２がオンになるので、蓋部材３０がロックされるようになる。結果として図１の状態に戻る。
【００２０】
図３は、貨幣取引処理装置１の内部構成例を示しており、ＣＰＵがＲＯＭ等に格納されたプログラムに従って全体を制御するようになっており、ＣＰＵにはデータを記憶する記憶部が接続されている。また、ＣＰＵ等で構成されるターミナル部２３には、顧客側操作表示部１６、カード処理部、行員側操作部１３、表示部１４、カード処理部１５が接続されている。さらには、ターミナル部２３には、硬貨処理部としてのバラ硬貨入出金部１８、包装硬貨出金部２０と、紙幣処理部としてのバラ紙幣入出金部１７、束紙幣出金部１９の各部が接続されている。なお、ＲＡＭはＣＰＵの作業用メモリである。ロック駆動部はＳＷ１、ＳＷ２のオン／オフ信号によってロック１及びロック２を電気的に駆動するものである。
【００２１】
図４は支持部材３１に設けられた係止手段（ロックピン）の一例を示すものであり、ロックがされていない状態（ＯＦＦ時）にはピンの頭が支持部材３１の表面と同じ高さかそれ以下に沈んでいる。また、ロックがかかっている状態（ＯＮ時）にはピンの頭が支持部材３１の表面から突出して、蓋部材３０の側板に設けられた嵌合穴に突入するようになっている。ロックピンの出没動作は、電磁石等を利用することによって行うことができる。また、係止手段はロックピンによるものでなくてもよく、機械的に回動不可能に固定するものであれば構わない。
【実施例１】
【００２２】
図５は本発明に係る貨幣取引処理装置１の仕切手段の第１実施例の動作を説明するための図である。図５（Ａ）は電源投入時あるいは操作終了時の状態を示す図であり、ロック１及びロック２が解除（OFF）された状態になっている。この状態から、行員側が操作しようとして蓋部材３０を矢印方向に倒すと、（Ｂ）の状態に移行し、ＳＷ２が蓋部材３０のツバによって押下されてＯＮになり、それに連動してロック２が突出して蓋部材３０の側板に設けられた嵌合穴に突入してロックされる。このとき、ＳＷ１はＯＦＦになる。
【００２３】
図５の場合の動作を、図６のフローチャートに基づいてさらに詳細に説明する。前提として、貨幣取引処理装置１（以下、単に装置という。）の電源投入時はいずれのロックもＯＦＦ状態になっているものとする。また、デフォルトでは顧客側が開いているものとする（図５（Ａ）の状態）。
初めに、操作者が蓋部材３０を回動させて、自分の側を開ける（ステップＳ１）。最初の操作者が顧客の場合であれば、すでに開いているのでステップＳ２に進むが、行員の場合は蓋部材３０を図５（Ｂ）の状態に移動させる必要がある（ロック１がＯＦＦなので移動可能である。）。
次に、操作者が誰であるかを装置に認識させる必要があるので、操作者は操作表示部からＩＤを入力するか、又はＩＤの格納されたカードを挿入してＩＤを読み込ませる（ステップＳ２）。
ＩＤの入力によって、装置が顧客の操作であると認識したときは（ステップＳ３がＹＥＳ）、ＳＷ１がＯＮかどうかをチェックする（ステップＳ４）。この状態ではＳＷ１がＯＮになっているので、ロック１がＯＮになり（ステップＳ５）、蓋部材３０が固定される。もし、蓋部材３０が完全に倒されていなくて、ＳＷ１がＯＮになっていない場合は、その旨を表示し注意を喚起する（ステップＳ６）。
次に顧客側の操作画面が操作可能になり（ステップＳ７）、操作開始となる（ステップＳ８）。操作が終了すると（ステップＳ９のＹＥＳ）、ロック１が解除され（ステップＳ１１）、蓋部材３０の移動はフリー状態になる。また、行員側にはロック手段を強制的に解除する図示しない行員専用のロック解除ボタンが設けてあり、その操作によって解除指令が出されると（ステップＳ１０のＹＥＳ）、ロックの動作が終了して蓋部材３０が回動自在になるようになっている。このフローチャートでは、ステップＳ９の後で解除指令が出されるように設定しているが、ステップＳ７以降であればいつでも解除可能に操作できるようにしても構わない。
【００２４】
次に、ステップＳ１に戻り、次の操作者が行員の場合は、蓋部材３０を図５（Ｂ）の状態に移動させる（ステップＳ１）。次に、操作者（行員）は操作部からＩＤを入力するか、又はＩＤの格納されたカードを挿入してＩＤを読み込ませる（ステップＳ２）。
ＩＤの入力によって、装置が行員の操作であると認識したときは（ステップＳ３がＮＯ）、ＳＷ２がＯＮかどうかをチェックする（ステップＳ１２）。この状態ではＳＷ２がＯＮになっているので、ロック２がＯＮになり（ステップＳ１４）、蓋部材３０が固定される。もし、蓋部材３０が完全に倒されていなくて、ＳＷ２がＯＮになっていない場合は、その旨を表示し注意を喚起する（ステップＳ１３）。
次に行員側の操作画面が操作可能になり（ステップＳ１５）、操作開始となる（ステップＳ８）。操作が終了（ステップＳ９のＹＥＳ）か強制解除指令が入力されると（ステップＳ１０のＹＥＳ）、ロック１が解除され（ステップＳ１１）、蓋部材３０の移動はフリー状態になる。以下、同様の繰り返しになる。
【００２５】
図７は本発明に係る貨幣取引処理装置１の仕切手段の第１実施例の変形例の動作を説明するための図である。この変形例は、係止手段（ロックピン）が１つの場合である。支持部材３１の中央にロックピンが１本設けられており、蓋部材３０の側板に設けられた２箇所の半円形の切り欠きに嵌合する形でロックするものである。
図７（Ａ）は電源投入時あるいは操作終了時の状態を示す図であり、ロックが解除（OFF）された状態になっている。この状態から、行員側が操作しようとして蓋部材３０を矢印方向に倒すと、（Ｂ）の状態に移行し、ＳＷ２が蓋部材３０のツバによって押下されてＯＮになり、それに連動してロックピンが突出して蓋部材３０の側板に設けられた半円形の嵌合穴に突入してロックされる。このとき、ＳＷ１はＯＦＦになる。
【００２６】
図７の場合の動作を、図８のフローチャートに基づいてさらに詳細に説明する。前提として、装置１の電源投入時はロックはＯＦＦ状態になっているものとする。また、デフォルトでは顧客側が開いているものとする（図７（Ａ）の状態）。
初めに、操作者が蓋部材３０を回動させて、自分の側を開ける（ステップＳ２０）。最初の操作者が顧客の場合であれば、すでに開いているのでステップＳ２１に進むが、行員の場合は蓋部材３０を図７（Ｂ）の状態に移動させる必要がある（ロックがＯＦＦなので移動可能である。）。
次に、操作者が誰であるかを装置に認識させる必要があるので、操作者は操作表示部からＩＤを入力するか、又はＩＤの格納されたカードを挿入してＩＤを読み込ませる（ステップＳ２１）。
ＩＤの入力によって、装置が顧客の操作であると認識したときは（ステップＳ２２がＹＥＳ）、ＳＷ１がＯＮかどうかをチェックする（ステップＳ２３）。この状態ではＳＷ１がＯＮになっているので、ロックがＯＮになり（ステップＳ２４）、蓋部材３０が固定される。もし、蓋部材３０が完全に倒されていなくて、ＳＷ１がＯＮになっていない場合は、その旨を表示し注意を喚起する（ステップＳ２５）。
次に顧客側の操作画面が操作可能になり（ステップＳ２６）、操作開始となる（ステップＳ２７）。操作が終了（ステップＳ２８のＹＥＳ）か強制解除指令が入力されると（ステップＳ２９のＹＥＳ）、ロックが解除され（ステップＳ３０）、蓋部材３０の移動はフリー状態になる。
【００２７】
次に、ステップＳ２０に戻り、次の操作者が行員の場合は、蓋部材３０を図７（Ｂ）の状態に移動させる（ステップＳ２０）。次に、操作者（行員）は操作部からＩＤを入力するか、又はＩＤの格納されたカードを挿入してＩＤを読み込ませる（ステップＳ２１）。
ＩＤの入力によって、装置が行員の操作であると認識したときは（ステップＳ２２がＮＯ）、ＳＷ２がＯＮかどうかをチェックする（ステップＳ３１）。この状態ではＳＷ２がＯＮになっているので、ロックがＯＮになり（ステップＳ３２）、蓋部材３０が固定される。もし、蓋部材３０が完全に倒されていなくて、ＳＷ２がＯＮになっていない場合は、その旨を表示し注意を喚起する（ステップＳ３３）。
次に行員側の操作画面が操作可能になり（ステップＳ３４）、操作開始となる（ステップＳ２７）。操作が終了（ステップＳ２８のＹＥＳ）か強制解除指令が入力されると（ステップＳ２９のＹＥＳ）、ロックが解除され（ステップＳ３０）、蓋部材３０の移動はフリー状態になる。以下、同様の繰り返しになる。
【実施例２】
【００２８】
図９は本発明に係る貨幣取引処理装置１の仕切手段の第２実施例の動作を説明するための図である。実施例１における蓋部材３０の代わりに、長手方向の両端にバー３４が設けられ、中央部がヒンジ軸３３によって連結された２枚の折り畳み可能な遮蔽板（各請求項における「遮蔽手段」の実施形態である。）３２と、バー３４の両端を支持するとともにロックする係止手段（Ｌ１〜Ｌ４）と、遮蔽側検出手段の実施形態であるスイッチ（ＳＷ１〜ＳＷ４）とで仕切手段が構成されている。なお、ＳＷ１〜ＳＷ４は、バー３４の両端がその上に置かれるとＯＮするようになっている。図９（Ａ）はデフォルトの状態を示しており、Ｌ１とＬ４がロックされている。また、実施例１と異なる点は、入出金口のみが遮蔽されていることである。
【００２９】
図１０は上記Ｌ１〜Ｌ４の実施例を示すものであり、このロック装置は金属製の半ドーナツ状のものからなり、同形状のカバー内に収まった状態と破線で示すように出た状態とに出没可能である。動作はモータや電磁石等によって出没を切り換えるようになっており、前述のスイッチＳＷ１〜ＳＷ４がＯＮした際、遮蔽板のバー３４の両端部分を囲むようにして固定することになる。自転車のリング錠のような構成である。
【００３０】
図１１は顧客側が装置１の入出金口を使用する場合の遮蔽板の状態を示す図である。図９からの変化は、図９においてＬ４のロックが解除され、右側のバー３４がＳＷ２の上に移動して置かれてＬ２がロックされたものである。これにより、行員側からは顧客の入出金状態を見ることはできなくなる。
【００３１】
以上の動作の手順を図１２のフローチャートに基づいて説明する。デフォルトでは図９（Ｂ）のようにＬ１とＬ４がロックされているものとする。
まず、操作者が誰であるかを装置に認識させる必要があるので、操作者は操作表示部からＩＤを入力するか、又はＩＤの格納されたカードを挿入してＩＤを読み込ませる（ステップＳ４１）。ＩＤの入力によって、装置が顧客の操作であると認識したときは（ステップＳ４２のＹＥＳ）、Ｌ４をＯＦＦにしてバー３４を移動可能にする（ステップＳ４３）。
次に、バー３４をＳＷ２の上に移動して載置することを促す表示を顧客側の操作表示部に表示する（ステップＳ４４）。顧客が案内に従ってバー３４をＳＷ２の上に載置するとＳＷ２がＯＮになり（ステップＳ４５のＹＥＳ）、Ｌ２がＯＮになりロックされる（ステップＳ４６）。そうすると顧客側の操作画面が操作可能になり（ステップＳ４７）、顧客が操作を開始する（ステップＳ４８）。操作終了又は強制解除指令が入力されるとＬ２のロックが解除されるとともに（ステップＳ５０）、バー３４を元の位置（ＳＷ４）に戻すように表示して移動を促す（ステップＳ５１）。バー３４がＳＷ４の上に置かれるとＳＷ４がＯＮになって（ステップＳ５２）Ｌ４がロックされ（ステップＳ５３）、図９（Ｂ）の初期状態に戻る。このように操作終了後に初期状態に戻す理由は、次に行員が装置を操作しようとしたときに、行員側からは図１０（Ｂ）の右側のバー３４をＳＷ４の上に載せることができない（移動させにくい）からである。
【００３２】
次に、ステップＳ４１に戻り、次の操作者が行員の場合も同様にして操作する。上述の説明において、顧客→行員、Ｌ４→Ｌ１、Ｌ２→Ｌ３、ＳＷ４→ＳＷ１、ＳＷ２→ＳＷ３に置き換えれば、全く同じ説明文になるので、説明を省略する。
【実施例３】
【００３３】
図１３は本発明に係る貨幣取引処理装置１の第三実施形態の一例を示す外観図である。第一実施形態と異なるのは仕切手段の違いである。すなわち、図１３に示すように、円筒型容器をその底面の中心を通る平面で二等分したものを逆さにした様な形状を有する蓋部材３０と、該蓋部材の半円弧状の下縁部を前記貨幣取引口を囲むように回動自在に支持する支持手段である円状の溝３１とで構成されるものである。図１４は、図１３の平面図であり、（Ａ）は行員側がオープンになっており、行員が使用している状態を示している。一方（Ｂ）は、その逆に顧客側がオープンになっており、顧客が使用している状態を示している。
【００３４】
なお、図１３において１６は液晶タッチパネルで構成されている操作表示部であり、顧客と行員が共用するため、1式しか設けられていない場合を示している。そして、蓋部材３０の開口側の向きと操作表示部１６が同じになるように回転可能になっている。また、蓋部材３０と操作表示部１６とが連動して回転するように構成してもよい。例えば、ベルトや歯車によって連結する方法がある。そうすることにより使い勝手がさらに良くなる。図１４（Ａ）及び（Ｂ）は蓋部材３０と操作表示部１６とが連動して回転する様子を示している。
【００３５】
図１５は、スイッチＳＷ１、ＳＷ２（遮蔽側検出手段）とロック手段（ロック１、ロック２）の組み合わせにより、蓋部材３０の回動状態（位置）を検知し、蓋部材３０の回動をロックする構成を示すものである。ここにおけるスイッチＳＷ１及びＳＷ２は、光を検出するとＯＮになる光センサを使用しており、図１５に示すように２箇所に設けられている。また、蓋部材３０の回動をロックするための係止手段（ロックピン）は２対（ロック１、ロック２）設けられている。なお、係止手段は、下から上方に突出可能なピンが左右に一対ずつ設けられ、スイッチのＯＮに伴うピンの突出によって回動が規制されるようになる。
【００３６】
以上の構成において、蓋部材３０の回動がロックされる手順を図１６のフローチャートに基づいて説明する。
まず、操作者が誰であるかを装置に認識させる必要があるので、操作者は操作表示部からＩＤを入力するか、又は図示しないカード処理部にＩＤの格納されたカードを挿入してＩＤを読み込ませる（ステップＳ７１）。ＩＤの入力によって、装置が顧客の操作であると認識したときは（ステップＳ７２のＹＥＳ）、「ＳＷ１＝ＯＮで、かつＳＷ２＝ＯＦＦ」であるか否かを（ＣＰＵが）チェックする（ステップＳ７３）。蓋部材３０の位置が図１５に示す位置にあるときのみ「ＳＷ１＝ＯＮで、かつＳＷ２＝ＯＦＦ」となるので、ロック１がＯＮになるが（ステップＳ７４）、それ以外の位置では蓋部材の回動を促す表示を行う（ステップＳ７５）。顧客が蓋部材を回動して、ちょうど「ＳＷ１＝ＯＮで、かつＳＷ２＝ＯＦＦ」となる位置に来たときにロック１がＯＮになる。ロック１がＯＮになると顧客側操作画面が操作可能になる（ステップＳ７６）。なお、操作表示部１６の向きはどのステップにおいて変えても構わない。また、蓋部材３０の回動に連動して向きが変わるように構成してもよい。操作開始した後（ステップＳ７７）、操作終了（ステップＳ７８）あるいは強制解除指令信号が入力されると（ステップＳ７９）、ロックが解除され（ステップＳ８０）、蓋部材３０の回動はフリー状態になる。以下、同様の繰り返しになる。
【００３７】
次に、ステップＳ７１に戻って、行員が操作する場合であるが、蓋部材３０の向きが顧客の場合と正反対になることを除けば、条件は同じである。すなわち、操作者が行員の場合は、「ＳＷ１＝ＯＦＦで、かつＳＷ２＝ＯＮ」の場合にロック２がＯＮになることを除けば、全く同じであるので説明は省略する。
なお、ここでは操作表示部１６は固定されずに操作する側に自由に向けられるようにしたが、この操作表示部１６の向きを検知し、操作表示部１６をロックするようにしても良い。但し、操作表示部１６と蓋部材３０の向きが合致していなければならないので、操作表示部１６が顧客側に向いていると検知した場合、蓋部材３０も顧客側が開放されるように操作するように案内表示によって促し、蓋部材３０が正しい方向に操作されたらロックされるようにしても構わない。また、操作表示部１６と蓋部材３０の方向が一致するまでは操作ができないように制御しても構わない。
【図面の簡単な説明】
【００３８】
【図１】本発明に係る貨幣取引処理装置の第一実施形態の一例を示す外観図である。
【図２】本発明に係る貨幣取引処理装置をカウンターに設置した場合の、カウンターの外側（顧客側）から見た場合の様子を示すものである。
【図３】本発明に係る貨幣取引処理装置の内部構成例を示す図である。
【図４】支持部材に設けられた係止手段（ロックピン）の一例を示すものである。
【図５】本発明に係る貨幣取引処理装置の仕切手段の第１実施例の動作を説明するための図である。
【図６】図５に示す仕切手段の動作のフローチャートの一例である。
【図７】本発明に係る貨幣取引処理装置の仕切手段の第１実施例の変形例の動作を説明するための図である。
【図８】図７に示す仕切手段の動作のフローチャートの一例である。
【図９】本発明に係る貨幣取引処理装置の仕切手段の第２実施例の動作を説明するための図である。
【図１０】図９における係止手段の実施例を示した図である。
【図１１】顧客側が貨幣取引処理装置の入出金口を使用する場合の遮蔽板の状態を示す図である。
【図１２】図９に示す仕切手段の動作のフローチャートの一例である。
【図１３】本発明に係る貨幣取引処理装置の仕切手段の第３実施例の概略図である。
【図１４】仕切手段の第３実施例において、蓋部材と操作表示部とが連動して回転する様子を示した図である。
【図１５】本発明に係る貨幣取引処理装置の仕切手段の第３実施例の構成を示す図である。
【図１６】図１５に示す仕切手段の動作のフローチャートの一例である。
【符号の説明】
【００３９】
１    貨幣取引処理装置
１０  紙幣入出金口
１１  硬貨入出金口
１３  行員側操作部
１４  行員側表示部
１５  カード処理部
１６  顧客側操作表示部又は液晶タッチパネル
１７  バラ紙幣入出金部
１８  バラ硬貨入出金部
１９  束紙幣出金部
２０  包装硬貨出金部
２１  束紙幣出金口
２２  包装硬貨（棒金）出金口
２３  ターミナル部
３０  蓋部材
３１  支持手段
３２  遮蔽板
ＳＷ１〜ＳＷ４  スイッチ（遮蔽側検出手段）
Ｌ１〜Ｌ４又はロック１、２  係止手段（ロック手段）
【図１】
0005283375.tif 000002
【図２】
0005283375.tif 000003
【図３】
0005283375.tif 000004
【図４】
0005283375.tif 000005
【図５】
0005283375.tif 000006
【図６】
0005283375.tif 000007
【図７】
0005283375.tif 000008
【図８】
0005283375.tif 000009
【図９】
0005283375.tif 000010
【図１０】
0005283375.tif 000011
【図１１】
0005283375.tif 000012
【図１２】
0005283375.tif 000013
【図１３】
0005283375.tif 000014
【図１４】
0005283375.tif 000015
【図１５】
0005283375.tif 000016
【図１６】
0005283375.tif 000017